(57)【要約】  【課題】移動体通信端末が使用禁止などの特定エリア内に位置しても、通話不能になる前に通話者同士は特定エリア内に入ったことを知ることが可能な移動体通信端末中継装置や移動体通信端末を提供する。  【解決手段】位置情報取得手段と、通信制御手段と、通信情報記憶手段とを備え、通信制御手段は、移動体通信端末と他の通話装置とが通話している間に、位置情報取得手段が移動体通信端末から通話禁止エリアにあることを示す位置情報を取得した場合、当該移動体通信端末の通信機能をオフ状態にする前に、当該移動体通信端末と前記他の通話装置とに、通話が中断されることを示す通話中断情報を送信するようにした。【選択図】図１
2009253346.tif 000002
【特許請求の範囲】
【請求項１】
無線により公衆電話網に接続可能であり、ＧＰＳ機能部を有する複数の移動体通信端末間の通信を中継する移動体通信端末中継装置であって、
前記各移動体通信端末のＧＰＳ機能部から発信された位置情報を取得する位置情報取得手段と、
前記位置情報取得手段により取得した位置情報が特定エリア外に位置することを示す第１の位置情報の場合は前記移動体通信端末の通信機能をオン状態とする一方、取得した位置情報が特定エリア内に位置することを示す第２の位置情報の場合は、前記移動体通信端末の通信機能をオフ状態にする制御を行う通信制御手段と、
前記公衆電話網を介して前記特定エリア外にある他の移動体通信端末を含む他の通話装置から前記特定エリア内にある移動体通信端末へ通話要求があった場合、通話要求があったことを示す通話要求情報を、当該通話要求を発した発信元情報と通話要求先情報と共に記憶する通信情報記憶手段と、
を備え、
前記通信制御手段は、
前記移動体通信端末と他の通話装置とが通話している間に、前記位置情報取得手段が前記移動体通信端末から前記第２の位置情報を取得した場合、当該移動体通信端末の通信機能をオフ状態にする前に、当該移動体通信端末と前記他の通話装置とに、通話が中断されることを示す通話中断情報を送信することを特徴とする移動体通信端末中継装置。
【請求項２】
前記通信制御手段は、
前記通話中断情報を前記移動体通信端末と前記他の通話装置とへ送信した後、前記位置情報取得手段が前記移動体通信端末から前記第１の位置情報を取得した場合、前記通信情報記憶手段に記憶された通話要求情報に基づいて、前記移動体通信端末の通信機能をオフ状態とする直前のオン状態にして、前記移動体通信端末と他の通話装置とが通話可能な状態に復帰させることを特徴とする請求項１記載の移動体通信端末中継装置。
【請求項３】
前記通信制御手段は、
前記通話中断情報を前記移動体通信端末と前記他の通話装置とへ送信した後、前記位置情報取得手段が前記移動体通信端末から前記第１の位置情報を取得した場合、前記通信情報記憶手段に記憶された通話要求情報に基づいて、前記移動体通信端末の通信機能をオフ状態とする直前のオン状態にするとともに、前記他の通話装置に対して、前記移動体通信端末との通話が可能な状態に復帰したことを示す通話可能情報を送信することを特徴とする請求項１記載の移動体通信端末中継装置。
【請求項４】
前記通信制御手段は、
前記特定エリア内にある移動体通信端末へ他の通話装置から通話要求があった場合、前記位置情報取得手段が、前記移動体通信端末から前記第１の位置情報を取得したことを条件に、当該移動体通信端末の通信機能をオン状態に復帰させるとともに、当該移動体通信端末に対して、前記通信情報記憶手段に記憶された発信元情報を含む通話要求情報を送信することを特徴とする請求項１〜３のいずれかに記載の移動体通信端末中継装置。
【請求項５】
公衆電話網に無線接続して通信可能な通信部と、
前記公衆電話網を介して他の通話装置から通話要求があった場合、通話要求があったことを示す通話要求情報と当該通話要求を発した発信元情報とを記憶する通信情報記憶部と、
ＧＰＳ機能を有し、自身の位置情報を取得する位置情報取得部と、
この位置情報取得部により取得した位置情報が、特定エリア外に位置することを示す第１の位置情報の場合は前記通信部の通信機能をオン状態にする一方、取得した位置情報が特定エリア内に位置することを示す第２の位置情報の場合は、前記通信部の通信機能をオフ状態にする通信制御部と、
を備えた移動体通信端末であって、
前記通信制御部は、
前記他の通話装置との通話中に、前記位置情報取得部が前記第２の位置情報を取得した場合、前記通信部の通信機能をオフ状態にする前に、前記他の通話装置に対し、前記通信部を介して通話が中断されることを示す通話中断情報を送信することを特徴とする移動体通信端末。
【請求項６】
前記通話中断情報を前記他の通話装置へ送信した後、前記位置情報取得部が前記第１の位置情報を取得した場合、前記通信制御部は、前記通信部の通信機能をオン状態に復帰させるとともに、前記通信部を介して前記他の通話装置へ通話要求することを特徴とする請求項５記載の移動体通信端末。
【発明の詳細な説明】
【技術分野】
【０００１】
本発明は、移動体通信端末、及び移動体通信端末中継装置に関し、詳しくは、ＧＰＳ機能を有する移動体通信端末と、前記ＧＰＳ機能を用いて、携帯電話などの移動体通信端末同士間、あるいはかかる移動体通信端末と固定電話などの他の通話装置との通信を中継する移動体通信端末中継装置に関する。
【背景技術】
【０００２】
従来、携帯電話などの移動体通信端末は、電波が届く範囲であればいかなる場所でも利用することができるため、電車内や病院など、その利用が好ましくない場所であっても憚りなく利用されることが多かった。
【０００３】
そこで、ＧＰＳ機能を用いることにより、移動体通信端末の存在位置を特定し、移動体通信端末の使用が禁止されている場所では、移動体通信端末のＲＦ（Ｒａｄｉｏ  Ｆｒｅｑｕｅｎｃｙ）部のみを停止して、通信機能を非稼動状態にするものが提案されている（例えば、特許文献１を参照）。
【特許文献１】特開２００２−３６８８６９号公報
【発明の開示】
【発明が解決しようとする課題】
【０００４】
しかし、特許文献１のような構成とした場合、通話中に一方の通話者が通話禁止場所に移動すると突然通信が切れてしまい、通話不能状態になることが考えられ、通話先が通話禁止場所にいることは知るよしもない通話相手にとっては極めて不都合であり、また通話相手が通話禁止場所にいる場合に連絡が全くつかないことも不便である。
【０００５】
本発明は、上記課題を解決することのできる移動体通信端末、及び移動体通信端末中継装置を提供することを目的としている。
【課題を解決するための手段】
【０００６】
（１）本発明では、無線により公衆電話網に接続可能であり、ＧＰＳ機能部を有する複数の移動体通信端末間の通信を中継する移動体通信端末中継装置であって、前記各移動体通信端末のＧＰＳ機能部から発信された位置情報を取得する位置情報取得手段と、前記位置情報取得手段により取得した位置情報が特定エリア外に位置することを示す第１の位置情報の場合は前記移動体通信端末の通信機能をオン状態とする一方、取得した位置情報が特定エリア内に位置することを示す第２の位置情報の場合は、前記移動体通信端末の通信機能をオフ状態にする制御を行う通信制御手段と、前記公衆電話網を介して前記特定エリア外にある他の移動体通信端末を含む他の通話装置から前記特定エリア内にある移動体通信端末へ通話要求があった場合、通話要求があったことを示す通話要求情報を、当該通話要求を発した発信元情報と通話要求先情報と共に記憶する通信情報記憶手段とを備え、前記通信制御手段は、前記移動体通信端末と他の通話装置とが通話している間に、前記位置情報取得手段が前記移動体通信端末から前記第２の位置情報を取得した場合、当該移動体通信端末の通信機能をオフ状態にする前に、当該移動体通信端末と前記他の通話装置とに、通話が中断されることを示す通話中断情報を送信することとした。
【０００７】
（２）本発明は、上記（１）において、前記通信制御手段は、前記通話中断情報を前記移動体通信端末と前記他の通話装置とへ送信した後、前記位置情報取得手段が前記移動体通信端末から前記第１の位置情報を取得した場合、前記通信情報記憶手段に記憶された通話要求情報に基づいて、前記移動体通信端末の通信機能をオフ状態とする直前のオン状態にして、前記移動体通信端末と他の通話装置とが通話可能な状態に復帰させることを特徴とする。
【０００８】
（３）本発明は、上記（１）において、前記通信制御手段は、前記通話中断情報を前記移動体通信端末と前記他の通話装置とへ送信した後、前記位置情報取得手段が前記移動体通信端末から前記第１の位置情報を取得した場合、前記通信情報記憶手段に記憶された通話要求情報に基づいて、前記移動体通信端末の通信機能をオフ状態とする直前のオン状態にするとともに、前記他の通話装置に対して、前記移動体通信端末との通話が可能な状態に復帰したことを示す通話可能情報を送信することを特徴とする。
【０００９】
（４）本発明は、上記（１）〜（３）のいずれかにおいて、前記通信制御手段は、前記特定エリア内にある移動体通信端末へ他の通話装置から通話要求があった場合、前記位置情報取得手段が、前記移動体通信端末から前記第１の位置情報を取得したことを条件に、当該移動体通信端末の通信機能をオン状態に復帰させるとともに、当該移動体通信端末に対して、前記通信情報記憶手段に記憶された発信元情報を含む通話要求情報を送信することを特徴とする。
【００１０】
（５）本発明は、公衆電話網に無線接続して通信可能な通信部と、前記公衆電話網を介して他の通話装置から通話要求があった場合、通話要求があったことを示す通話要求情報と当該通話要求を発した発信元情報とを記憶する通信情報記憶部と、ＧＰＳ機能を有し、自身の位置情報を取得する位置情報取得部と、この位置情報取得部により取得した位置情報が、特定エリア外に位置することを示す第１の位置情報の場合は前記通信部の通信機能をオン状態にする一方、取得した位置情報が特定エリア内に位置することを示す第２の位置情報の場合は、前記通信部の通信機能をオフ状態にする通信制御部と、を備えた移動体通信端末であって、前記通信制御部は、前記他の通話装置との通話中に、前記位置情報取得部が前記第２の位置情報を取得した場合、前記通信部の通信機能をオフ状態にする前に、前記他の通話装置に対し、前記通信部を介して通話が中断されることを示す通話中断情報を送信することを移動体通信端末とした。
【００１１】
（６）本発明は、上記（５）において、前記通話中断情報を前記他の通話装置へ送信した後、前記位置情報取得部が前記第１の位置情報を取得した場合、前記通信制御部は、前記通信部の通信機能をオン状態に復帰させるとともに、前記通信部を介して前記他の通話装置へ通話要求することを特徴とする。
【発明の効果】
【００１２】
本発明によれば、移動体通信端末が使用禁止などの特定エリア内に位置しても、通話不能になる前に通話者同士は特定エリア内に入ったことを知ることができるため、突然通話不能になってしまうという不都合を回避することが可能となる。
【発明を実施するための最良の形態】
【００１３】
本実施形態に係る移動体通信端末中継装置は、無線により公衆電話網に接続可能であり、ＧＰＳ機能部を有する複数の移動体通信端末間の通信を中継するものであって、前記各移動体通信端末のＧＰＳ機能部から発信された位置情報を取得する位置情報取得手段と、前記位置情報取得手段により取得した位置情報が特定エリア外に位置することを示す第１の位置情報の場合は前記移動体通信端末の通信機能をオン状態とする一方、取得した位置情報が特定エリア内に位置することを示す第２の位置情報の場合は、前記移動体通信端末の通信機能をオフ状態にする制御を行う通信制御手段と、前記公衆電話網を介して前記特定エリア外にある他の移動体通信端末を含む他の通話装置から前記特定エリア内にある移動体通信端末へ通話要求があった場合、通話要求があったことを示す通話要求情報を、当該通話要求を発した発信元情報と通話要求先情報と共に記憶する通信情報記憶手段とを備え、前記通信制御手段は、前記移動体通信端末と他の通話装置とが通話している間に、前記位置情報取得手段が前記移動体通信端末から前記第２の位置情報を取得した場合、当該移動体通信端末の通信機能をオフ状態にする前に、当該移動体通信端末と前記他の通話装置とに、通話が中断されることを示す通話中断情報を送信するように構成されている。
【００１４】
移動体通信端末は、無線により公衆電話網を介して他の通話装置（他の携帯電話や固定電話など）と通話可能な携帯電話とすることができ、近年の携帯電話に見られるように、ＧＰＳ（Global Positioning System：全地球測位システム）の機能を有する。したがって、衛星を通じて携帯電話の所在位置が認識され、これをディスプレイなどに地図で表示することができる。すなわち、この携帯電話を所持する人は、自身の所在位置を知ることができる。
【００１５】
本実施形態におけるＧＰＳ機能部は、自身の所在位置を示す位置情報を、外部へ発信することが可能であり、このＧＰＳ機能部から発信された前記位置情報を受信する位置情報取得手段を、携帯電話と他の通話装置との中継を行う移動体通信端末中継装置が備えている。
【００１６】
また、特定エリアとは、携帯電話による通話が好ましくないエリアであって、ここでは、病院をはじめとする携帯電話の使用を禁止したエリアとしている。そして、前記第１の位置情報とは、特定エリア外にあることを示す位置情報を指し、第２の位置情報とは、特定エリア内にあることを示す位置情報を指す。
【００１７】
移動体通信端末中継装置は、前記位置情報取得手段に加え、移動体通信端末の通信機能をオン・オフ制御する通信制御手段と、特定エリア外にある他の通話装置から特定エリア内にある移動体通信端末へ通話要求があった場合、通話要求があったことを示す通話要求情報を、当該通話要求を発した発信元情報（特定エリア外にある他の通話装置に関する情報であり、電話番号などが含まれる）と通話要求先情報（特定エリア内にある移動体通信端末に関する情報であり、電話番号などが含まれる）と共に記憶する通信情報記憶手段とを備えている。
【００１８】
かかる構成において、特徴的な構成となるのは、前記通信制御手段は、移動体通信端末と他の通話装置とが通話している間に、位置情報取得手段が移動体通信端末から特定エリア内であることを示す第２の位置情報を取得した場合、当該移動体通信端末の通信機能をオフ状態にするが、その前に、当該移動体通信端末と交信中の他の通話装置とに、通話が中断されることを示す通話中断情報を送信するようにした点にある。
【００１９】
通話中断情報としては、所定の音声などであり、それは例えば「通話禁止エリアに入りましたので通話を中断します」などのメッセージによる合成音声でもよいし、あるいは所謂ピー音のような効果音、信号音であってもよい。
【００２０】
このような構成としたことにより、移動体通信端末が使用禁止などの特定エリア内に位置しても、通話不能になる前に通話者同士は特定エリア内に入ったことを知ることができるため、突然通話不能になってしまい、通話者同士が不快な思いをすることを回避することが可能となる。
【００２１】
なお、前記位置情報取得手段、通信制御手段及び通信情報記憶手段は、ＣＰＵやＲＯＭ、ＲＡＭなどを備えるコンピュータなどにその機能を担わせることができる。
【００２２】
また、前記通信制御手段は、前記通話中断情報を前記移動体通信端末と前記他の通話装置とへ送信した後、前記位置情報取得手段が前記移動体通信端末から前記第１の位置情報を取得した場合、前記通信情報記憶手段に記憶された通話要求情報に基づいて、前記移動体通信端末の通信機能をオフ状態とする直前のオン状態にして、前記移動体通信端末と他の通話装置とが通話可能な状態に復帰させるような制御を実行することが好ましい。
【００２３】
すなわち、携帯電話と他の通話手段とが通話している際に、携帯電話が通話禁止エリアに入った場合、通話中断情報を送信するが、その後、携帯電話が再び通話禁止エリア外に移動したと判断すれば、元の通話状態に復帰させるのである。
【００２４】
上記構成とすると、通話禁止エリアに入ったことを知った他の通話装置の使用者が装置をオフにする前に、携帯電話所有者が即座に場所を移動して通話禁止エリア外に出たなら、通話状態が復帰されて通話継続が可能になるが、他の通話装置の使用者が当該通話装置をオフにすることが考えられる。
【００２５】
そこで、前記通信制御手段は、前記通話中断情報を前記移動体通信端末と前記他の通話装置とへ送信した後、前記位置情報取得手段が前記移動体通信端末から前記第１の位置情報を取得した場合、前記通信情報記憶手段に記憶された通話要求情報に基づいて、前記移動体通信端末の通信機能をオフ状態とする直前のオン状態にするとともに、前記他の通話装置に対して、前記移動体通信端末との通話が可能な状態に復帰したことを示す通話可能情報を送信するように構成することもできる。
【００２６】
すなわち、移動体通信端末中継装置は、移動体通信端末が通話禁止エリア外に移動したことを検知すると、通話中断情報を送信した他の通話装置に対して、今度は通話可能情報を送信して、通話が可能な状態に復帰したことを知らせるのである。
【００２７】
通話可能情報は、例えば「○×サービスからのお知らせです。０９０−○○○○―××××は通話禁止エリアから出ましたので通話が可能になりました」などの合成音声によるメッセージとすることもできるし、あるいは電話番号をアドレスとしたメール送信であってもよい。
【００２８】
さらに、前記通信制御手段は、前記特定エリア内にある移動体通信端末へ他の通話装置から通話要求があった場合、前記位置情報取得手段が、前記移動体通信端末から前記第１の位置情報を取得したことを条件に、当該移動体通信端末の通信機能をオン状態に復帰させるとともに、当該移動体通信端末に対して、前記通信情報記憶手段に記憶された発信元情報を含む通話要求情報を送信することもできる。
【００２９】
すなわち、上述してきた通信制御手段による制御は、通話中に移動体通信端末が特定エリア内に入った場合についてのものであるが、既に特定エリア内にある移動体通信端末に他の通話装置から通話要求があった場合、通信制御手段は、通信情報記憶手段に記憶されている通話要求情報、発信元情報及び通話要求先情報から、移動体通信端末が特定エリア外に出た場合、この移動体通信端末に対して、通話要求情報、例えば「○×サービスからのお知らせです。あなたが通話禁止エリア内にあるときに、０９０―××××−○○○○から着信がありました。」などの合成音声によるメッセージ、あるいは電話番号をアドレスとしたメール送信を行うのである。
【００３０】
また、移動体通信端末中継基地によらず、移動体通信端末に上述してきた内容と略同様の機能をもたせることができる。
【００３１】
すなわち、公衆電話網に無線接続して通信可能な通信部と、前記公衆電話網を介して他の通話装置から通話要求があった場合、通話要求があったことを示す通話要求情報と、当該通話要求を発した発信元情報とを記憶する通信情報記憶部と、ＧＰＳ機能を有し、自身の位置情報を取得する位置情報取得部と、この位置情報取得部により取得した位置情報が、特定エリア外に位置することを示す第１の位置情報の場合は前記通信部の通信機能をオン状態にする一方、取得した位置情報が特定エリア内に位置することを示す第２の位置情報の場合は、前記通信部の通信機能をオフ状態にする通信制御部と、を備えた移動体通信端末であって、前記通信制御部は、前記他の通話装置との通話中に、前記位置情報取得部が前記第２の位置情報を取得した場合、前記通信部の通信機能をオフ状態にする前に、前記他の通話装置に対し、前記通信部を介して通話が中断されることを示す通話中断情報を送信するようにするのである。
【００３２】
かかる構成とすれば、移動体通信端末中継基地に、大規模なコンピュータシステムなどからなる通信制御手段を構築せずとも、移動体通信端末のみの機能によって、通話中に通話禁止エリア内に入った際にも予め通話中断情報を相手先の移動体通信端末に送信して報知することができるので、突然通話不能になってしまい通話者同士が不快な思いをすることを回避することができる。
【００３３】
なお、通信情報記憶部、位置情報取得部、及び通信制御部は、移動体通信端末に内蔵された制御基板に組み込まれるＣＰＵやＲＯＭ、ＲＡＭなどにその機能を担わせることができる。
【００３４】
また、上記移動体通信端末は、前記通話中断情報を前記他の通話装置へ送信した後、前記位置情報取得部が前記第１の位置情報を取得した場合、前記通信制御部は、前記通信部の通信機能をオン状態に復帰させるとともに、前記通信部を介して前記他の通話装置へ通話要求することもできる。
【００３５】
すなわち、自身が再び特定エリア外に出たことを検出すると、通信制御部は、通話中断情報を送信した他の通話装置にリダイアルするように制御するのである。
【００３６】
したがって、通話中に通話禁止エリアに移動してしまい、一旦通話が中断しても、通話禁止エリアから再び出ると、自動的に、先に通話していた者にリダイアルされて、話の続きを始めることができる。
【００３７】
以下、本実施形態にかかる移動体通信端末中継基地及び移動体通信端末について、図面を参照しながら、より具体的に説明する。
（実施例１）
図１は実施例１に係る移動体通信端末及び移動体通信端末中継装置により構成される通信システムの説明図であり、図２はそのブロック構成図である。図示するように実施例１の通信システム１０は、無線により公衆電話網１１に接続可能でありＧＰＳ機能を有する複数の移動体通信端末２０、２０’と、この移動体通信端末間の通信を中継する移動体通信端末中継装置３０などを備えて構成されている。
【００３８】
移動体通信端末２０、２０’は携帯電話、ＰＨＳ、複合情報携帯端末等であって通信システム１０の移動体通信端末中継装置３０を介して他の携帯電話などとの間で通話通信を行うことができる。この移動体通信端末２０は、公衆電話網１１に接続された移動体通信端末中継装置３０とＲＦ交信してデータの送受信を行う高周波通信部２１と、少なくとも３基のＧＰＳ衛星１２から発信されるＧＰＳ電波を受信して現在地を取得するＧＰＳ機能部２２と、液晶パネルやスピーカ、ダイヤル操作部などを備えた端末入出力部２３と、その通信機能のオンオフ状態を制御するとともにこれら高周波通信部、ＧＰＳ機能部などの装置全体を制御する通信制御部２５とを有している。
【００３９】
これら高周波通信部２１、通信制御部２５、液晶パネルやダイヤル操作部などの端末入出力部２３などのハードウェアは、それぞれ電源部２４から供給される電源によって駆動され、電源の供給ラインに設けられたメインスイッチを、操作パネルを介して操作することによりオンオフできる。
【００４０】
移動体通信端末２０は、その非通信モードでは通信制御部２５を介して、高周波通信部２１への電力供給を制御することができ、移動体通信端末中継装置３０を介した他の移動体通信端末２０’との通信手段である高周波通信部２１の動作を制限することができる。したがって、公衆電話網１１に接続された移動体通信端末２０などの基地局に向かって通信用アンテナから電波を発信することは最低限度にとどめることができる。このため、病院設備などにおけるペースメーカーや医療機器、さらにはその他の制御機器などを誤動作させる電波の発生は抑制されるが、この通信制限モードでは、端末入出力部２３や通信制御部２５、ＧＰＳ機能部２２などのハードウェアには電力が供給される。したがって、非通信機能は使用可能であり、移動体通信端末２０を介してそのメモリに保持したコンテンツの閲覧や、メールの編集などを行うことはできる。
【００４１】
移動体通信端末２０は、図１に示すように細長扁平型に形成されており、その正面に液晶パネルが配置されている。さらに、その下方には電話番号や文字などを入力する操作パネルが配置され、無線基地局となる移動体通信端末中継装置３０を介して公衆電話網１１に接続可能な通信用アンテナを備えている。このような移動体通信端末２０には無線を介して公衆電話網１１に接続して通信を行う通信機能の他に、インターネットのブラウザ機能、スケジュール管理機能、メール機能、音楽再生機能などの多様な機能が搭載されている。そして、この通信機能も含めたすべての機能を稼動させることができる汎用モードと、通信機能と連動しなくても利用できる非通信機能が使用可能となる非通信モードの２つの動作モードを有している。そして、移動体通信端末２０が非通信モードになると、その内蔵した液晶パネルやスピーカなどから非通信モードとなったことを示す認識表示動作を行うことができるようになっている。
【００４２】
移動体通信端末中継装置３０は、各移動体通信端末２０、２０’のＧＰＳ機能部２２から発信された位置情報を取得する位置情報取得手段３１と、前記移動体通信端末２０、２０’の通信機能をオンオフ状態に制御する通信制御手段３２と、各移動体通信端末への通話要求先情報及び発信元情報を記憶する通信情報記憶手段３３と、各移動体通信端末２０の高周波通信部２１とＲＦ接続して通信を行うための高周波通信部３４などを備えている。
【００４３】
この通信制御手段３２は、移動体通信端末中継装置３０にＲＦ接続する各移動体通信端末におけるそれぞれの通信情報データを統括管理するとともに、前記移動体通信端末と他の通話装置とが通話している間に、前記位置情報取得手段が前記移動体通信端末から前記第２の位置情報を取得した場合、当該移動体通信端末の通信機能をオフ状態にする前に、当該移動体通信端末と前記他の通話装置とに、通話が中断されることを示す通話中断情報を送信する機能を有している。
【００４４】
位置情報取得手段３１は、各移動体通信端末２０、２０’のＧＰＳ機能部２２から発信された位置情報を取得して、その移動体通信端末のＩＤ情報とともに通信情報記憶手段３３などのデータベース部へデータを格納させる機能を有している。
【００４５】
通信情報記憶手段３３は、各移動体通信端末への通話要求先情報及び発信元情報を記憶するとともに、各移動体通信端末２０、２０’のＧＰＳ機能部２２から発信された位置情報も格納して、通信制御用のデータベースを構成するための記憶装置であり、このデータベースには移動体通信端末の通信機能の一部又は全部が制限される特定エリア１３に関わるエリア情報も記憶されている。
【００４６】
特定エリア１３は、移動体通信端末中継装置３０が設置される通信区域内において、予め登録された医療機関や公共施設などであって、これらの地域を表すＧＰＳ位置データと、この特定エリア毎に対応して提供又は制限される通信サービスの内容とがこのエリア情報には含まれている。
【００４７】
こうして、通信制御手段３２は、位置情報取得手段３１により取得された移動体通信端末２０の位置情報が特定エリア１３の外に位置することを示す第１の位置情報の場合は、前記移動体通信端末２０の通信制御部２５を介してその通信機能をオン状態とする一方、取得した位置情報が特定エリア１３内に位置することを示す第２の位置情報の場合は、移動体通信端末２０の通信機能をオフ状態にする制御を行うことを可能にしているのである。
【００４８】
以下、移動体通信端末２０、２０’及び移動体通信端末中継装置３０に適用される通信システム１０における通信動作形態について図３、図４に示すフローチャート及び図８〜図１０を参照して説明する。なお、以下に示す通信処理ルーチンは、移動体通信端末中継装置３０のタイマー回路により所定時間毎に呼び出されることで実行されるようになっている。
【００４９】
この通信処理ルーチンの最初のステップＳ１０１においては、図１に示すように移動体通信端末中継装置３０は、移動体通信端末２０のＧＰＳ機能部２２にアクセスするかもしくは移動体通信端末２０からのアクセス要求信号によりそのＧＰＳ位置情報及びその端末ＩＤを含む移動体端末データなどを取得する。
【００５０】
次のステップＳ１０２では、ステップＳ１０１で取得された前記移動体端末データを、移動体通信端末中継装置３０の通信情報記憶手段３３に保持された特定エリア１３に関する情報データと比較して、移動体通信端末２０が特定エリア１３内にあるか否かを判定する。ここで、位置情報取得手段３１により取得された移動体通信端末２０の発信位置が特定エリア１３外に位置する場合（図１参照）には、第１の位置情報を処理する通信制御処理のステップＳ１０６に移行する。一方、取得した移動体通信端末２０の発信位置が特定エリア１３内に位置する場合（図８参照）は、第２の位置情報を処理する通信制御処理のステップＳ１０３に移行する。
【００５１】
移動体通信端末２０が特定エリア１３外となる場合である第１の位置情報を処理する通信制御処理のステップＳ１０６では、移動体通信端末中継装置３０は移動体通信端末２０の通信制御部２５を介してその通信機能をオンにする。こうして、公衆電話網１１や中継装置に接続された他の移動体通信端末２０’を移動体通信端末２０に通常通信可能な通信モードに維持させる。そして、通信制御部２５は、この通信モードにおける各移動体通信端末２０、２０’のそれぞれのＧＰＳ位置情報及び端末ＩＤ、アクセス時刻などの通信情報データを、移動体通信端末中継装置３０の通信情報記憶手段３３にデータベース情報として記憶させる。
【００５２】
次のステップＳ１０７では、通信制御手段３２を介して、この通信情報記憶手段３３のデータベース情報にアクセスして、当該移動体通信端末２０への通話中断情報の有無を判定する。ここで、当該移動体通信端末２０への通話中断情報が有る場合には、通話中断情報発信処理のステップＳ１０８に移行させる。一方、当該移動体通信端末２０への通話中断情報が存在しない場合には、所定時間、移動体通信端末２０、２０’間の通信が可能な状態を維持した後、この通信処理ルーチンを終了させる。
【００５３】
通話中断情報発信処理のステップＳ１０８では、当該通話要求を発した発信元情報を通信情報記憶手段３３から読み出して、移動体通信端末２０や通話要求をした移動体通信端末２０’に送信する処理がなされる。こうして、例えば、移動体通信端末と他の通話装置とが通話している間に、位置情報取得手段３１が移動体通信端末から第２の位置情報を取得した場合、当該移動体通信端末の通信機能をオフ状態にする前に、当該移動体通信端末２０と他の通話装置である移動体通信端末２０’とに、通話が中断されることを示す通話中断情報を送信することが可能となるのである。
【００５４】
なお、このような通話中断情報発信処理がなされることにより、当該通話要求のデータは通信情報記憶手段３３のメモリからクリアされるようになっている。こうして、所定時間、移動体通信端末２０、２０’間の通信が可能な通信モードを維持した後、この通信処理ルーチンが終了するようになっている。
【００５５】
一方、移動体通信端末２０が特定エリア１３内となる場合である第２通信制御処理のステップＳ１０３では、移動体通信端末中継装置３０は、移動体通信端末２０の通信制御部２５を介してその通信モードを非通信モードに設定する。これによって、公衆電話網１１や中継装置に接続された他の移動体通信端末２０’が移動体通信端末２０にアクセス不能な状態に維持させるのである。
【００５６】
ステップＳ１０３に続くステップＳ１０４では、通信制御手段３２は当該移動体通信端末２０に対して他の移動体通信端末２０’からの通話要求があるか否かが判定される。ここで通信情報記憶手段３３に記憶された通話要求のデータがある場合は、次のステップＳ１０５へ移行し、通話要求のデータがない場合は、この各移動体通信端末２０における通信モードを維持させたまま通信処理を終了させることとなる。
【００５７】
公衆電話網１１などを介して特定エリア１３外にある他の移動体通信端末２０’から特定エリア１３内にある移動体通信端末２０への通話要求があった場合における通話中断情報記憶処理のステップＳ１０５では、通話要求があったことを示す通話要求情報を、当該通話要求を発した発信元情報と通話要求先情報と共に通信情報記憶手段３３に記憶させるデータ処理がなされる。こうして記憶された通話中断情報などを含むデータは、ステップＳ１０６の第１通信制御処理において参照される。こうして、通信処理ルーチンを終了させる。
【００５８】
図４は通信システム１０における移動体通信端末の通信動作の一例を示すフローチャートである。図示するように、最初のステップＳ２０１では、通信制御部２５が移動体通信端末２０のＧＰＳ機能部２２を作動させ、ＧＰＳ衛星からの電波を受信することによってそのＧＰＳ位置情報を取得する。
【００５９】
続くステップＳ２０２では、移動体通信端末２０の高周波通信部２１もしくはＧＰＳ機能部２２を介して移動体通信端末中継装置３０に前記取得したＧＰＳ位置情報及び移動体通信端末２０のＩＤデータなどを含む情報データを送信する。
【００６０】
こうして、ステップＳ２０３では、移動体通信端末２０は、移動体通信端末中継装置３０から発信される通信情報を取得する。この通信情報には、移動体通信端末中継装置３０の通信情報には、当該移動体通信端末２０の位置情報に応じた動作モードにするための通信モード設定情報や、通信情報記憶手段３３に記憶された他の移動体通信端末２０’などからの通話中断情報が含まれている。
【００６１】
最後のステップＳ２０４では、取得された前記通信情報のデータに基づいて通信制御部２５が、移動体通信端末２０を所定の通信モードに設定させるのである。こうして、例えば、移動体通信端末と他の通話装置とが通話している間に、位置情報取得手段３１が移動体通信端末から第２の位置情報を取得した場合、当該移動体通信端末の通信機能をオフ状態にされる前に、当該移動体通信端末２０に、通話が中断されることを示す通話中断情報が液晶パネルやスピーカなどを備えた端末入出力部に出力表示することが可能となるのである。
【００６２】
なお、以上説明した移動体通信端末２０における通信処理ルーチンは、移動体通信端末に内蔵されたタイマー回路により、所定時間間隔毎に実行される。
【００６３】
図８〜図１０は以上説明した通信制御処理によって実行される通話中断情報などを含む情報の送信形態の一例を示す説明図である。
【００６４】
図８に示すように、移動体通信端末２０がその通信中に特定エリア１３に入って、相手先の移動体通信端末２０’にメッセージ「通話相手が通話禁止エリアに入っています。これより３分間お待ちください。」などが送信される。一方、当該移動体通信端末２０には、「お客様は通話禁止エリアに入っています。これより３分間は、仮通話状態になり、通話エリアで通話ボタンを押すと通話が再開できます。」などの音声メッセージや液晶パネルへの表示がなされるのである。そして、３分経過後には、図９に示すようにこの通話がオフ状態となって、双方の移動体通信端末２０、２０’に、「通話が切れました。通話相手の電話番号は・・・」などのメッセージが液晶パネルやスピーカなどを介して表示出力又は音声出力されるのである。また、図１０に示すように当該移動体通信端末２０がこの３分以内に特定エリア１３から外に出ると、移動体通信端末中継装置３０を介して通話を再開する復旧信号が双方の移動体通信端末２０、２０’に送信され、通話が再開することができるようになっている。
【００６５】
こうして、通信制御処理が移動体通信端末中継装置３０の通信制御手段３２及び移動体通信端末２０の通信制御部２５によって実行されることによって、移動体通信端末２０がその使用が禁止又はその機能の一部が制限されるなどの特定エリア内に位置しても、通話不能になる前に通話者同士は特定エリア内に入ったことを知ることができ、突然通話不能になってしまうという不都合な事態を回避することができる。
【００６６】
すなわち、移動体通信端末中継装置３０の通信制御手段３２は、通話中断情報を移動体通信端末２０と他の通話装置となる移動体通信端末２０’へ送信した後、位置情報取得手段３１が移動体通信端末２０から特定エリア外であることを示す第１の位置情報を取得した場合、通信情報記憶手段３３に記憶された通話要求情報に基づいて、移動体通信端末２０の通信機能をオフ状態とする直前のオン状態にして、移動体通信端末と他の通話装置とが通話可能な状態に復帰させることができる。また、移動体通信端末２０’に対して、移動体通信端末２０との通話が可能な状態に復帰したことを示す通話可能情報を送信するのである。
【００６７】
さらに、前記特定エリア１３内にある移動体通信端末２０へ他の通話装置から通話要求があった場合、位置情報取得手段３１が、移動体通信端末２０から第１の位置情報を取得したことを条件に、当該移動体通信端末２０の通信制御部２５を介してその通信機能をオン状態に復帰させるとともに、移動体通信端末２０に対して、通信情報記憶手段３３に記憶された発信元情報を含む通話要求情報を送信することができる。
（実施例２）
図５は実施例２に係る移動体通信端末及び移動体通信端末中継装置により構成される通信システムの説明図であり、図６は移動体通信端末のブロック図である。
【００６８】
実施例２の通信システム１０’は、無線により公衆電話網１１に接続可能でありＧＰＳ機能を有する複数の移動体通信端末４０、４０’と、この移動体通信端末間の通信を中継する移動体通信端末中継装置５０などを備えて構成されている。なお、以下に説明する実施例２の通信システム１０’においては、前記実施例１のものと同様の機能を有するものについては、同一の符号を付してその詳しい説明を省略するものとする。
【００６９】
移動体通信端末４０、４０’は携帯電話、ＰＨＳ、複合情報携帯端末等であって通信システム１０’の移動体通信端末中継装置５０を介して他の携帯電話などとの間で通話通信を行うことができる。この移動体通信端末４０は、公衆電話網１１を介して他の通話装置から通話要求があった場合に通話要求があったことを示す通話要求情報と当該通話要求を発した発信元情報とを記憶する通信情報記憶部４１と、移動体通信端末中継装置５０とＲＦ交信してデータの送受信を行う高周波通信部２１（通信部）と、ＧＰＳ電波を受信して現在地を取得するＧＰＳ機能を備えたＧＰＳ機能部２２（位置情報取得部）と、液晶パネルなどを備えた端末入出力部２３と、これら高周波通信部、ＧＰＳ機能部などの装置全体を制御する通信制御部２５とを有している。これら通信情報記憶部４１と高周波通信部２１、通信制御部２５、端末入出力部２３などはそれぞれ図示しない電源部から供給される電源によって駆動されている。
【００７０】
移動体通信端末４０はその非通信モードでは通信制御部２５を介して、高周波通信部２１への電力供給を制御することができ、移動体通信端末中継装置５０を介した他の移動体通信端末４０’との通信手段である高周波通信部２１の動作を制限して、他の移動体通信端末や移動体通信端末中継装置に向かって発信する電波を最低限度にとどめることができる。この通信制限モードでは、端末入出力部２３や通信制御部２５、ＧＰＳ機能部２２などのハードウェアには電力が供給され、非通信機能は使用可能である。
【００７１】
通信情報記憶部４１は、公衆電話網１１を介して他の通話装置から通話要求があった場合に通話要求があったことを示す通話要求情報と当該通話要求を発した発信元情報とを記憶する機能を備えている。この通信情報記憶部４１は、当該移動体通信端末４０への通話要求先情報及び発信元情報を記憶して通信制御用のデータベースを構成するための記憶装置である。
【００７２】
ＧＰＳ機能部２２は、そのＧＰＳ機能により取得された位置情報を取得するとともに、通話要求を発信した移動体通信端末のＩＤ情報とともに通信情報記憶部４１のデータベースにデータを格納させる機能を有している。
【００７３】
移動体通信端末中継装置５０は、公衆電話網１１に接続された電話機や移動体通信端末４０、４０’間の通信を中継接続して制御するための通信制御手段３２と、各移動体通信端末４０の高周波通信部２１とＲＦ接続して通信を行うための高周波通信部３４などを備えている。なお、この通信制御手段３２は、移動体通信端末中継装置５０にＲＦ接続する各移動体通信端末におけるそれぞれの通信情報データを統括管理することもできるようになっている。
【００７４】
実施例２の通信システム１０’は、実施例１の通信システム１０とは異なり、移動体通信端末４０に通信情報記憶部４１を備えているので、移動体通信端末中継装置の機能によらず、実施例１に上述してきた内容と略同様の機能をもたせることができる。
【００７５】
すなわち、公衆電話網１１に無線接続して通信可能な高周波通信部２１と、公衆電話網を介して他の通話装置である移動体通信端末４０’から通話要求があった場合、通話要求があったことを示す通話要求情報と、当該通話要求を発した発信元情報とを通信情報記憶部４１に記憶することができる。そして、この移動体通信端末４０は、自身の位置情報を取得するＧＰＳ機能部２２と、このＧＰＳ機能部２２により取得した位置情報が特定エリア１３外に位置することを示す第１の位置情報の場合は高周波通信部２１の通信機能をオン状態にする一方、取得した位置情報が特定エリア１３内に位置することを示す第２の位置情報の場合は、高周波通信部２１の通信機能をオフ状態にする通信制御部２５と、を備えている。
【００７６】
そして、この移動体通信端末４０に設けられた通信制御部２５は、他の通話装置との通話中にＧＰＳ機能部２２が第２の位置情報を取得した場合、高周波通信部２１の通信機能をオフ状態にする前に他の通話装置に対し、高周波通信部２１を介して通話が中断されることを示す通話中断情報を送信するようにするのである。こうして、移動体通信端末中継装置５０に、大規模なコンピュータシステムなどからなる通信情報記憶部を備えたような通信制御手段を構築せずとも、移動体通信端末４０の機能のみで、通話中に通話禁止エリア内に入った際に突然通話不能になってしまうような事態を回避することができる。
【００７７】
図７は実施例２の通信システム１０’における移動体通信端末の通信動作の一例を示すフローチャートである。この通信処理ルーチンの最初のステップＳ４０１においては、図５に示すように移動体通信端末４０は、そのＧＰＳ機能部２２にアクセスする。これによってＧＰＳ衛星１２からのＧＰＳ電波を受信して、自身のＧＰＳ位置情報を取得する。
【００７８】
次のステップＳ４０２では、ステップＳ４０１で取得された前記ＧＰＳ位置情報のデータを、移動体通信端末中継装置３０の通信情報記憶部４１に保持された特定エリア１３に関する情報データと比較して、移動体通信端末４０が特定エリア１３内にあるか否かを判定する。ここで、ＧＰＳ機能部２２により取得された移動体通信端末４０の発信位置が特定エリア１３外に位置する場合には、第１の位置情報を処理する通信制御処理のステップＳ４０６に移行する。一方、取得した移動体通信端末４０の発信位置が特定エリア１３内に位置する場合は、第２の位置情報を処理する通信制御処理のステップＳ４０３に移行する。
【００７９】
移動体通信端末４０が特定エリア１３外となる場合（図１参照）である第１の位置情報を処理する通信制御処理のステップＳ４０６では、移動体通信端末４０の通信制御部２５を介してその通信機能をオンにする。こうして、公衆電話網１１や中継装置に接続された他の移動体通信端末４０’を移動体通信端末４０に通常通信可能な通信モードに維持させる。そして、通信制御部２５は、この通信モードにおける他の移動体通信端末４０’などの端末ＩＤ、アクセス時刻などの通信情報データを、通信情報記憶部４１にデータベース情報として記憶させることもできる。
【００８０】
次のステップＳ４０７では、この通信情報記憶部４１のデータベース情報にアクセスして、当該移動体通信端末４０への通話中断情報の有無を判定する。ここで、当該移動体通信端末２０への通話中断情報が有る場合には、通話中断情報発信処理のステップＳ４０８に移行させる。一方、当該移動体通信端末４０への通話中断情報が既に存在しない場合には、所定時間、移動体通信端末４０、４０’間の通信が可能な状態を維持した後、この通信処理ルーチンを終了させる。
【００８１】
通話中断情報発信処理のステップＳ４０８では、当該通話要求を発した発信元情報を通信情報記憶部４１から読み出して、通話要求をした移動体通信端末４０’にアクセスする処理がなされる。なお、このような通話中断情報発信処理がなされることにより、当該通話要求のデータは通信情報記憶部４１からクリアされるようになっている。こうして、所定時間、移動体通信端末４０、４０’間の通信が可能な通信モードを維持した後、この通信処理ルーチンが終了される。
【００８２】
一方、移動体通信端末４０が特定エリア１３内となる場合（図８参照）である第２通信制御処理のステップＳ４０３では、移動体通信端末４０の通信制御部２５を介してその通信モードを非通信モードに設定する。これによって、公衆電話網１１や中継装置に接続された他の移動体通信端末４０’が移動体通信端末４０にアクセス不能な状態に維持させるのである。
【００８３】
ステップＳ４０３に続くステップＳ４０４では、当該移動体通信端末４０に対して他の移動体通信端末４０’からの通話要求があるか否かが判定される。ここで通信情報記憶部４１に記憶された通話要求のデータがある場合は、次のステップＳ４０５へ移行し、通話要求のデータがない場合は、この各移動体通信端末４０における通信モードを維持させたまま通信処理を終了させることとなる。
【００８４】
公衆電話網１１などを介して特定エリア１３外にある他の移動体通信端末４０’から特定エリア１３内にある移動体通信端末４０への通話要求があった場合における通話中断情報記憶処理のステップＳ４０５では、通話要求があったことを示す通話要求情報を、当該通話要求を発した発信元情報と通話要求先情報と共に通信情報記憶部４１に記憶させるデータ処理がなされる。こうして記憶された通話中断情報などを含むデータは、ステップＳ４０６の第１通信制御処理において参照される。こうして、通信処理ルーチンを終了させるのである。
【００８５】
こうして、実施例２の移動体通信端末４０を備えた通信システム１０’では、移動体通信端末４０のみの機能によって、通話中に通話禁止エリア内に入った際にも予め通話中断情報を相手先の移動体通信端末に送信して報知することができるので、通話中に突然通話不能になってしまい通話者同士が不快な思いをすることを回避することができる。
【００８６】
以上説明したように本発明は、ＧＰＳ機能により移動体通信端末が特定エリア内に入るのを検知して、交信中の他の通話装置に通話が中断されることを示す通話中断情報を送信して当該移動体通信端末の通信機能をオフ状態にするようにしたことを要旨とするものであり、これによって、通話中に突然通話不能になってしまい通話者同士に不快な思いをさせることのない優れた利便性を有している。
【００８７】
以上の実施形態により、以下の移動体通信端末、及び移動体通信端末中継装置が実現される。
【００８８】
すなわち、無線により公衆電話網１１に接続可能であり、ＧＰＳ機能部２２を有する複数の移動体通信端末２０、２０’間の通信を中継する移動体通信端末中継装置３０であって、前記各移動体通信端末のＧＰＳ機能部から発信された位置情報を取得する位置情報取得手段３１と、前記位置情報取得手段により取得した位置情報が特定エリア１３外に位置することを示す第１の位置情報の場合は前記移動体通信端末の通信機能をオン状態とする一方、取得した位置情報が特定エリア内に位置することを示す第２の位置情報の場合は、前記移動体通信端末の通信機能をオフ状態にする制御を行う通信制御手段３２と、前記公衆電話網を介して前記特定エリア外にある他の移動体通信端末２０’を含む他の通話装置から前記特定エリア内にある移動体通信端末へ通話要求があった場合、通話要求があったことを示す通話要求情報を、当該通話要求を発した発信元情報と通話要求先情報と共に記憶する通信情報記憶手段３３と、を備え、前記通信制御手段は、前記移動体通信端末と他の通話装置とが通話している間に、前記位置情報取得手段が前記移動体通信端末から前記第２の位置情報を取得した場合、当該移動体通信端末の通信機能をオフ状態にする前に、当該移動体通信端末２０と前記他の通話装置２０’とに、通話が中断されることを示す通話中断情報を送信する移動体通信端末中継装置３０。
【００８９】
前記通信制御手段３２は、前記通話中断情報を前記移動体通信端末と前記他の通話装置とへ送信した後、前記位置情報取得手段３１が前記移動体通信端末２０から前記第１の位置情報を取得した場合、前記通信情報記憶手段３３に記憶された通話要求情報に基づいて、前記移動体通信端末の通信機能をオフ状態とする直前のオン状態にして、前記移動体通信端末と他の通話装置とが通話可能な状態に復帰させる移動体通信端末中継装置３０。
【００９０】
前記通信制御手段３２は、前記通話中断情報を前記移動体通信端末２０と前記他の通話装置２０’とへ送信した後、前記位置情報取得手段３１が前記移動体通信端末から前記第１の位置情報を取得した場合、前記通信情報記憶手段に記憶された通話要求情報に基づいて、前記移動体通信端末の通信機能をオフ状態とする直前のオン状態にするとともに、前記他の通話装置に対して、前記移動体通信端末との通話が可能な状態に復帰したことを示す通話可能情報を送信する移動体通信端末中継装置３０。
【００９１】
前記通信制御手段３２は、前記特定エリア１３内にある移動体通信端末２０へ他の通話装置２０’から通話要求があった場合、前記位置情報取得手段３１が、前記移動体通信端末から前記第１の位置情報を取得したことを条件に、当該移動体通信端末の通信機能をオン状態に復帰させるとともに、当該移動体通信端末に対して、前記通信情報記憶手段３３に記憶された発信元情報を含む通話要求情報を送信する移動体通信端末中継装置３０。
【００９２】
公衆電話網１１に無線接続して通信可能な通信部（高周波通信部２１）と、前記公衆電話網を介して他の通話装置から通話要求があった場合、通話要求があったことを示す通話要求情報と当該通話要求を発した発信元情報とを記憶する通信情報記憶部４１と、ＧＰＳ機能を有し、自身の位置情報を取得する位置情報取得部（ＧＰＳ機能部２２）と、この位置情報取得部により取得した位置情報が、特定エリア１３外に位置することを示す第１の位置情報の場合は前記通信部の通信機能をオン状態にする一方、取得した位置情報が特定エリア内に位置することを示す第２の位置情報の場合は、前記通信部の通信機能をオフ状態にする通信制御部２５と、を備えた移動体通信端末４０であって、前記通信制御部は、前記他の通話装置との通話中に、前記位置情報取得部が前記第２の位置情報を取得した場合、前記通信部の通信機能をオフ状態にする前に、前記他の通話装置に対し、前記通信部を介して通話が中断されることを示す通話中断情報を送信する移動体通信端末４０。
【００９３】
前記通話中断情報を前記他の通話装置４０’へ送信した後、前記位置情報取得部（ＧＰＳ機能部２２）が前記第１の位置情報を取得した場合、前記通信制御部２５は、前記通信部の通信機能をオン状態に復帰させるとともに、前記通信部（高周波通信部２１）を介して前記他の通話装置へ通話要求する移動体通信端末４０。
【００９４】
なお、本発明の実施例に記載された移動体通信端末２０、４０及び、移動体通信端末中継装置３０、５０は、本発明から生じる最も好適な構成のものを列挙したに過ぎず、実施例に記載されたものに限定されるものではない。例えば、本実施形態においては、当該移動体通信端末に通話要求する他の通話装置として移動体通信端末中継装置３０に直接接続する移動体通信端末としたが、公衆電話網やインターネットを介して連絡する他の移動体通信端末中継装置に接続する固定電話機や携帯電話機としてもよい。
【図面の簡単な説明】
【００９５】
【図１】実施例１に係る通信システムの説明図である。
【図２】同通信システムにおけるブロック構成図である。
【図３】移動体通信端末中継装置における動作フローチャートである。
【図４】移動体通信端末における動作フローチャートである。
【図５】実施例２に係る通信システムの説明図である。
【図６】移動体通信端末のブロック図である。
【図７】移動体通信端末における動作フローチャートである。
【図８】通信システムにおける送信形態の一例を示す説明図である。
【図９】通信システムにおける送信形態の一例を示す説明図である。
【図１０】通信システムにおける送信形態の一例を示す説明図である。
【符号の説明】
【００９６】
１０    通信システム
１１    公衆電話網
１２    ＧＰＳ衛星
１３    特定エリア
２０、２０’    移動体通信端末
２１    高周波通信部（通信部）
２２    ＧＰＳ機能部（位置情報取得部）
２３    端末入出力部
２４    電源部
２５    通信制御部
３０    通信端末中継装置
３１    位置情報取得手段
３２    通信制御手段
３３    通信情報記憶手段
３４    高周波通信部
【図１】
2009253346.tif 000003
【図２】
2009253346.tif 000004
【図３】
2009253346.tif 000005
【図４】
2009253346.tif 000006
【図５】
2009253346.tif 000007
【図６】
2009253346.tif 000008
【図７】
2009253346.tif 000009
【図８】
2009253346.tif 000010
【図９】
2009253346.tif 000011
【図１０】
2009253346.tif 000012